(57)【要約】【課題】植生地に生物（例えば、アリや鳥など）を積極的に誘導することにより、これらの生物によって運ばれてくる種子を緑化に利用する、生物誘導型植生体を提供する。【解決手段】帯状ネット１の長手方向に所定の間隔をあけて上記帯状ネットの幅方向に伸びる第１の基材配置部３と第２の基材配置部４を交互に設け、第１の基材配置部には植生基材を収容した植生基材袋５を配置し、第２の基材配置部には草本種子と植生基材を含む草本基材袋７を配置し、第１の基材配置部の幅方向片側には帯状ネットを正面から見たときに左右に交互に位置するように低木種子と植生基材を含む低木基材袋６を配置する。【選択図】図１
2010112098.tif 000002
【特許請求の範囲】
【請求項１】
帯状ネットの長手方向に所定の間隔をあけて上記帯状ネットの幅方向に伸びる第１の基材配置部と第２の基材配置部を交互に設け、上記第１の基材配置部には植生基材を収容した植生基材袋を配置し、上記第２の基材配置部には草本種子と植生基材を含む草本基材袋を配置し、上記第１の基材配置部の幅方向片側には上記帯状ネットを正面から見たときに左右に交互に位置するように低木種子と植生基材を含む低木基材袋を配置したことを特徴とする植生体。
【請求項２】
上記所定の間隔が５０ｃｍであることを特徴とする請求項１の植生体。
【請求項３】
上記植生基材袋には、種子又は肥料若しくはそれらの両方が含まれていないことを特徴とする請求項１又は２の植生体。
【請求項４】
請求項１〜３のいずれかに係る植生体を上記帯状ネットの幅方向を等高線方向に向けて且つ左右に隣接する植生体の上記第１の基材配置部及び第２の基材配置部を整列させた状態で植生地に配置することを特徴とする植生体の施工方法。
【発明の詳細な説明】
【技術分野】
【０００１】
本発明は、切土面又は盛土面などの表面の緑化と保護を目的とした植生体とその施工方法に関する。
【背景技術】
【０００２】
浸食防止と風に乗って飛来する種子の発芽定着とを目的とする周辺植物導入型植生マットが特許文献１に開示されている。この植生マットは、下部ネットと該下部ネットの上方に配置された上部ネットとの間に収容部を形成するとともに、該収容部を覆う上部ネットの目合いを密にすることで、収容部の部分に周辺植物の種子を捕捉させるポケットが形成されている。
【特許文献１】特開２００６−２６６０４３号公報
【発明の開示】
【発明が解決しようとする課題】
【０００３】
しかしながら、特許文献１の植生マットは、マット表面に落下した種子（重力散布種子、風散布種子）を誘導するだけのものであり、その他の種類の種子（鳥散布種子、アリ散布種子）は誘導できない、また、遮光性が低いことから紫外線による劣化を防止できない、さらに、クヌギなどの重力散布種子だけが等高線状に繁茂することから景観上不自然である、といった問題がある。
【課題を解決するための手段】
【０００４】
以上の問題を解消するため、本発明は、植生地に生物（例えば、アリや鳥など）を積極的に誘導することにより、これらの生物によって運ばれてくる種子を緑化に利用する、生物誘導型植生体を提供するものである。
【０００５】
この目的を達成するため、本発明の一つの形態では、植生体の基材として帯状のネットを使用する。
【０００６】
ネットは、合成樹脂材料又は生分解性材料若しくは天然繊維材料で形成される。ネットの目合いは、植物の成長を阻害しない程度に、例えば１〜５ｃｍとすることが好ましい。ネットには、ネットの長手方向に所定の間隔をあけて上記帯状ネットの幅方向に伸びる第１の基材配置部と第２の基材配置部を交互に設ける。そして、第１の基材配置部には植生基材を収容した筒状の植生基材袋を配置し、第２の基材配置部には草本種子と植生基材を含む筒状の草本基材袋を配置する。
【０００７】
植生基材袋が配置される第１の基材配置部及び草本基材袋が配置される第２の基材配置部は、ネットに形成された筒状収容部である。したがって、植生基材袋と草本基材袋は、対応する筒状収容部に挿入することにより、第１と第２の基材配置部に配置される。
【０００８】
基材配置部の間隔（上述の“長手方向の所定の間隔”）は、約５０ｃｍであることが好ましい。本来、草本群落に風散布種子を誘導するためには、１平方メートルの開けた空間（生態学的空間）を確保することが好ましい。ところで、通常の法面緑化用のネットは幅が１メートルであることから、１平方メートルの空間を確保するためには、長手方向（法面の傾斜方向）に１メートルの隙間が必要である。しかし、長手方向に１メートルの隙間を確保しようとすれば、植生体の浸食防止効果が十分に発揮できないおそれがある。以上のことを考慮し、本発明の実施形態に係る植生体では、基材配置部の間隔は５０ｃｍとする。ただし、その間隔は正確に５０ｃｍである必要はなく、概ね５０ｃｍであればよい。
【０００９】
第１の基材配置部と第２の基材配置部との間隔（長手方向の間隔）は、特に限定的ではないが、植生体を法面に配置した状態で、第１の基材配置部が第２の基材配置部の約２０ｃｍ上方に位置するようにすることが好ましい。
【００１０】
植生基材袋は、一般に不織布等の易分解性材料で筒状に形成することが好ましく、その長さはネットの幅（通常は１メートル）よりも多少短くする。植生基材袋の内部には、植生基材が収容される。植生基材袋は、浸食防止と植生体上に落下した風散布種子や重力散布種子を効率良く捕捉する目的とする。したがって、植生基材袋に収容される植生基材は土壌改良材だけでよい。土壌改良材には、バーミキュライト、ピートモス、ゼオライト等が含まれる。土壌改良材の他に、保水剤、鹿沼土や赤玉土などの園芸土を含めてもよい。いずれにしても、植生基材の材料は、植生地の土壌や植物に応じて、適宜選択できる。そのため、本発明の実施形態では、植生基材には土壌改良材のみが収容され、種子又は肥料若しくはそれらの両方は除かれている。ただし、種子又は肥料若しくはそれらの両方を植生基材に含めることも当然可能である。
【００１１】
草本基材袋は、一般に不織布等の易分解性材料で筒状に形成することが好ましく、その長さはネットの幅（通常は１メートル）よりも多少短くする。草本基材袋の内部には、少なくとも一種類の草本種子と植生基材が収容される。植生基材は、バーミキュライト、ピートモス、ゼオライト等の土壌改良材、保水剤、鹿沼土や赤玉土などの園芸土を含めることが好ましい。草本種子には、クリーピング・レッド・フェスク、バヒアグラス、ススキ、ヨモギなどが選択される。
【００１２】
第１の基材配置部には、上述した植生基材袋の他に、低木種子と植生基材を含む筒状の低木基材袋を配置する。低木基材袋は、不織布等の易分解性材料で形成することが好ましく、その長さは約２５〜３０ｃｍとする。この低木基材袋は、植生体を正面から見たときに左右に交互に位置するように、互いに隣接する第１の基材配置部の左側と右側にそれぞれ収容される。低木基材袋には、植生基材（例えば、バーミキュライト、ピートモス、ゼオライト等の土壌改良材、保水剤、鹿沼土や赤玉土などの園芸土）の他に、少なくとも一種類の低木種子が収容される。低木としては、例えば、ヤマハギ、ヌルデなどが適当である。
【００１３】
このように構成された植生体は、帯状ネットの幅方向を等高線方向に向けて且つ左右に隣接する植生体の第１の基材配置部及び第２の基材配置部がそれぞれ一列になるように植生地に配置され、適当な固定具で固定される。
【００１４】
敷設された植生体では、まず草本基材袋に含まれる草本種子が発芽生育する。草本基材袋の種子から生育した植物は、生態学的回廊（コリドー）を形成し、そこに動物を誘導する。誘導される動物は、植物種子を運び込む。例えば、クロナガアリなどの植物性の餌をとるアリは、アリ散布種子であるスミレ類を運び込み、植生体に定着させる。また、アリは、風散布種子であるタンポポなど種子を巣に持ち帰ることから、植生体の周辺に存在する風散布種子を植生地に運び込み定着させる。さらに、メクラナガアリは、落葉高木であるリョウブを植生地に運び込み定着させる。
【００１５】
草本基材袋の種子から生育した植物の茎葉は、空中を浮遊する風散布種子を捕獲し、植生体上に落下させる。また、等高線に沿って整列された各草本基材袋の種子から成長した草本植物の列と、これに隣接する草本基材袋の種子から生長した草本植物の列との間には生態学的隙間が形成され、そこに風散布種子や重力散布種子が誘導される。植生地に落下した種子は、土壌に定着して成長する。また、落下した種子は、植生基材袋に捕捉され、植生基材袋に含まれる土壌改良材や園芸土などに根を張って生育する。
【００１６】
草本基材袋の種子から生育した植物はまた、長手方向に隣接する草本基材袋の間の隙間を遮光し、土壌の乾燥を防止する。例えば、ススキはその草高が約１ｍに達することから、遮光性に特に優れている。遮光された隙間には、クモ、カタツムリなどが生息し、また、地面にはオサムシが生息する。そのため、草本の上空はトンボ類の狩り場となる。
【００１７】
植生地に植物が生育した状態で、低木基材袋に収容された種子から低木が成長する。成長した低木は、鳥類の飛来及び定着を促進する。例えば、冬鳥のベニヒワ、マヒワは、アカザ、ヨモギ、マツヨイグサなどの草本の種子を好んで食べ、また、草本の茎葉は鳥の巣の材料となることから、鳥散布種子を効率的に植生地に誘導できる。また、ヤマハギなどの低木が約２ｍ程度に生長すると、それらの木は鳥の止まり木となり、鳥とそれに付随する鳥散布種子の定着を更に促進する。例えば、鳥散布種子には、鳥の体内を通過することにより発芽率が良くなるナナカマド、ハゼ、マサキ、ネズミモチなどがあり、それらの植物の定着が促進される。
【発明の効果】
【００１８】
このように、本発明に係る植生体及びその施工方法によれば、草本基材袋に収容された種子から生長した植物によって、風散布種子、重力散布種子、アリ散布種子を植生地に誘導する環境が形成される。その後、植生地に植物が繁殖した状態で、低木基材袋から生長した低木が植生地に鳥及びそれに付随する鳥散布種子を誘導する。したがって、本発明によれば、優れた法面保護環境が得られる。
【発明を実施するための最良の形態】
【００１９】
以下、添付図面を参照して、本発明に係る植生体とその施工方法の実施例を説明する。
【実施例】
【００２０】
図１は本発明に係る植生体の部分正面図である。図において、植生体１の基材は帯状ネット２で形成されている。ネット２は、合成樹脂であるポリエチレン又は生分解性プラスチックの繊維で形成される。ネット２の目合いは、種子の定着と植物の生育を阻害しない程度に、約１〜５ｃｍに設計される。図面にはネット２の一部のみが示されているが、ネット２は図の上下方向（長手方向）に約１０ｍの長さを有し、図の左右方向（幅方向）に約１ｍの長さを有する。ネット２の編成方法は任意であるが、一般的にはラッセル編が利用される。
【００２１】
ネット２は、長手方向に所定の間隔をあけて、幅方向に伸びる植生基材配置部３が形成されている。図２に示すように、植生基材配置部３は、後に説明する、筒状の植生基材袋を横端から挿入できるように、筒状収容部として形成されている。植生基材配置部３の長手方向の間隔は、約５０ｃｍとしてある。これにより、法面に敷設された植生基材袋が法面の浸食を防止する。
【００２２】
図１に戻り、長手方向に隣接する植生基材配置部３の間には、草本基材配置部４が形成されている。図２に示すように、草本基材配置部４は、後に説明する筒状の草本基材袋を横から挿入できるように、筒状収容部として形成されている。草本基材配置部４の長手方向の間隔は、約５０ｃｍとしてある。これにより、法面に敷設された草本基材袋の間には、風散布種子を誘導する生態学的隙間８（図３参照）が形成される。草本基板配置部４と植生基材配置部３との間隔は、草本基材配置部４に収容される草本基材袋から生育する植物の生長を妨げることが無いように、例えば約２０ｃｍ程度に設定することが好ましい。
【００２３】
植生基材配置部３と草本基材配置部４には、細長い植生基材袋５と草本基材袋７がそれぞれ収容される。これらの袋５，７は、比較的容易に分解する材料、例えば不織布で形成することが好ましい。実施例では、袋５，７は、対応する配置部３，４のほぼ全長に亘って存在するように、約１ｍの長さとしてある（図３参照）。
【００２４】
植生基材袋５には、バーミキュライト、ピートモス、ゼオライト等の土壌改良材、保水剤、鹿沼土や赤玉土などの園芸土が収容されている。勿論、種子や肥料を収容することも可能であるが、実施例では除かれている。草本基材袋７には、クリーピング・レッド・フェスク、バヒアグラス、ススキ、ヨモギの少なくとも一種類と、植生基材としてバーミキュライト、ピートモス、ゼオライト等の土壌改良材、保水剤、鹿沼土や赤玉土などの園芸土が収容されている。
【００２５】
植生基材配置部３には、植生基材袋５の他に、筒状の低木基材袋６が配置される。低木基材袋６は、比較的容易に分解する材料、例えば不織布で形成することが好ましく、袋の内部には低木種子と植生基材が収容されている。植生基材としては、バーミキュライト、ピートモス、ゼオライト等の土壌改良材、保水剤、鹿沼土や赤玉土などの園芸土が利用可能である。低木としては、低木としては、ヤマハギ又はヌルデが選択される。
【００２６】
低木基材袋６は、約２５ｃｍの長さを有し、植生基材配置部３の片側に交互に配置される。具体的には、図１，３に示すように、ある段の植生基材配置部３ではその左側に配置され、その段に隣接する別の段では反対の右側に配置される。したがって、植生体１を植生地１０に敷設した状態で、低木基材袋６は交互に表れる。ただし、低木基材袋６の配置は任意であり、植生基材配置部３の片側（右側又は左側）のみ又は両側に設けてもよい。
【００２７】
このように構成された植生体１は、法面等の植生地１０に、幅方向を等高線と平行にして敷設される。このとき、複数の植生体１は、隣接する植生体１の植生基材配置部３と草本基材配置部４がそれぞれ一列に整列する。敷設された植生体１は、アンカーピンなどの適宜固定具で固定される。
【００２８】
図４に示すように、敷設された植生体１では、まず草本基材袋７に含まれる草本種子が速やかに発芽して草本植物１１として生育する。草本植物１１は、等高線に沿って生態学的回廊（コリドー）を形成し、そこに動物を誘導する。誘導された動物は、植物種子を運び込み、植生基材や法面土壌に植物を生育させる。植物１１はまた、生態学的隙間８を遮光し、土壌の乾燥を防止し、植物の好適な生育環境を形成する。そして、遮光された隙間には、別の昆虫、クモ、カタツムリの小動物が生息し、植物の旺盛な生育環境が形成される。
【００２９】
草本植物１１の茎葉は、空中を浮遊する風散布種子を捕獲し、植生体上に落下させる。また、図３に示すように、隣接する草本基材袋７の間には生態学的隙間８が形成されており、その生態学的隙間８に風散布種子及び重力散布種子が誘導される。落下した種子は、植生基材袋５の植生基材や法面土壌に根を張って生育し、植生地１０に植物１２が繁茂する。
【００３０】
このようにして植物の成長に良好な環境が整備された状態で、低木基材袋６に収容された種子から低木１３が成長する。低木１３は、鳥類の飛来及び定着を促進し、鳥散布種子を効率的に植生地に誘導する。また、成長した低木は鳥の止まり木となる。
【図面の簡単な説明】
【００３１】
【図１】本発明に係る植生体の一部を示す正面図。
【図２】植生地に敷設された植生体の一部を示す断面図。
【図３】植生体への袋の配置例を示す正面図。
【図４】植生体により緑化された状況を示す図。
【符号の説明】
【００３２】
１：植生体
２：ネット
３：植生基材配置部（収容部）
４：草本基材配置部（収容部）
５：植生基材袋
６：低木基材袋
７：草本基材袋
８：生態学的隙間
１０：植生地
１１：草本植物
１２：植物
１３：低木
【図１】
2010112098.tif 000003
【図２】
2010112098.tif 000004
【図３】
2010112098.tif 000005
【図４】
2010112098.tif 000006